(57)【要約】【課題】間隙への小物の落下を適切に防止できるシートカバーを提供する。【解決手段】シートカバー２は、自動車のシート１に脱着可能に取り付けて使用するものである。このシートカバー２の座部シートカバー11は、シート１の座部５を覆う座部カバー体16を備える。この座部カバー体16の側面部24には、シート１の座部５とコンソールボックス８との間の間隙10を閉鎖する間隙閉鎖体17を設ける。この間隙閉鎖体17は、シートベルト用のバックル７を通すためのバックル用孔部31を有する。【選択図】図１
2019189008.tif 000002
【特許請求の範囲】
【請求項１】
車両のシートに脱着可能に取り付けられるシートカバーであって、
前記シートを覆うカバー体と、
このカバー体に設けられ、前記シートの座部とこの座部に対向する対向部との間の間隙を閉鎖する間隙閉鎖体と
を備えることを特徴とするシートカバー。
【請求項２】
カバー体は、シートの座部を覆う座部カバー体であり、
間隙閉鎖体は、前記座部カバー体の側面部に設けられている
ことを特徴とする請求項１記載のシートカバー。
【請求項３】
間隙閉鎖体は、長手状に形成され、その全長にわたって座部カバー体の側面部に固定されている
ことを特徴とする請求項２記載のシートカバー。
【請求項４】
間隙閉鎖体は、弾性変形可能で、間隙への挿入により圧縮弾性変形した状態となって前記間隙に装着される
ことを特徴とする請求項１ないし３のいずれか一記載のシートカバー。
【請求項５】
間隙閉鎖体は、シートベルト用のバックルを通すためのバックル用孔部を有する
ことを特徴とする請求項１ないし４のいずれか一記載のシートカバー。
【請求項６】
間隙閉鎖体は、バックル用孔部が形成されていない部分の内側に位置する弾性部材を有する
ことを特徴とする請求項５記載のシートカバー。
【請求項７】
間隙閉鎖体のうち少なくとも上面側は、カバー体と同じ素材で構成されている
ことを特徴とする請求項１ないし６のいずれか一記載のシートカバー。
【発明の詳細な説明】
【技術分野】
【０００１】
本発明は、車両のシートに脱着可能に取り付けられるシートカバーに関するものである。
【背景技術】
【０００２】
従来、例えば下記の特許文献１に記載された自動車用装備品が知られている。
【０００３】
この自動車用装備品は、所望の長さの弾性体パッドからなる本体と、この本体の周囲を覆うカバーとを備え、前記本体は、上部の幅に対して下部の幅が漸次狭くなるように形成されている。
【０００４】
そして、この自動車用装備品が自動車の隣り合う両シート間の間隙に挿入されることにより、その間隙への小物（例えば硬貨、筆記具、携帯電話等）の落下が防止される。
【先行技術文献】
【特許文献】
【０００５】
【特許文献１】特開平９−２２０９５７号公報
【発明の概要】
【発明が解決しようとする課題】
【０００６】
しかしながら、上記従来の自動車用装備品は、隣り合う両シート間の間隙への挿入だけで所定位置に配置されるものであるから、例えばシートの前後位置の調整や自動車の走行時の振動等によって、所定位置からの位置ズレが生じ、その結果、自動車用装備品が間隙から抜け出てしまうおそれがある。
【０００７】
本発明は、このような点に鑑みなされたもので、間隙閉鎖体が間隙から抜け出ることがなく、間隙への小物の落下を適切に防止できるシートカバーを提供することを目的とする。
【課題を解決するための手段】
【０００８】
本発明に係るシートカバーは、車両のシートに脱着可能に取り付けられるシートカバーであって、前記シートを覆うカバー体と、このカバー体に設けられ、前記シートの座部とこの座部に対向する対向部との間の間隙を閉鎖する間隙閉鎖体とを備えるものである。
【発明の効果】
【０００９】
本発明によれば、間隙閉鎖体が間隙から抜け出ることがなく、間隙への小物の落下を適切に防止できる。
【図面の簡単な説明】
【００１０】
【図１】本発明の一実施の形態に係るシートカバーと車両のシートを示す斜視図である。
【図２】同上シートカバーの要部側面図である。
【図３】図２におけるＡ−Ａ断面図である。
【図４】間隙閉鎖体が間隙に装着された状態を示す平面図である。
【図５】本発明の他の実施の形態に係るシートカバーの要部断面図である。
【図６】本発明の更に他の実施の形態に係るシートカバーの斜視図である。
【発明を実施するための形態】
【００１１】
本発明の一実施の形態について図１ないし図４を参照して説明する。
【００１２】
図１において、１は車両である自動車のシート（座席）で、２はそのシート１に後付けにより脱着可能に取り付けられるシートカバーである。
【００１３】
シート１は、図示しない車体のフロアに設けられたシート支持部によって前後方向に移動可能に支持され、着座者の体格等に応じてその前後位置が調整可能となっている。
【００１４】
シート１は、着座者の臀部を支持する座部（シートクッション）５と、この座部５に前後方向に回動可能に設けられ、着座者の背中を支持する背凭れ部（シートバック）６とを備えている。
【００１５】
また、シート１は、座部５の側方近傍に位置する上方へ突出状のバックル装置、すなわちシートベルト用のバックル７を備えている。このバックル７は、着座者の身体をシート１に拘束するためのシートベルトに取り付けられたタングプレートを保持するとともに、解除ボタン7aの押し操作によってその保持を解除するものである。
【００１６】
さらに、図１中の二点鎖線で示すように、シート１の座部５の側方には、その座部５と離間対向する箱状の対向部であるコンソールボックス（センターコンソール）８が配置され、これら座部５の側面とコンソールボックス８の側面との間には前後方向長手状の間隙（隙間）10が存在している。この間隙10は、手のひらが通過する程度の比較的狭い空間であり、この間隙10に硬貨等の小物が落下すればそれを探し出すのは困難となる。
【００１７】
次いで、シートカバー（後付け車両用シートカバー）２は、可撓性を有する素材（例えば合成皮革等）からなるもので、図１に図示した例では、シート１の座部５に脱着可能に取り付けられてその座部５を覆う座部シートカバー11と、シート１の背凭れ部６に脱着可能に取り付けられてその背凭れ部（ヘッドレストを含む）６を覆う背凭れ部シートカバー12とによって構成されている。つまり、このシートカバー２は、２つに分離可能な分離型のものである。
【００１８】
まず、座部シートカバー11は、シート１の座部５を覆うカバー体である座部カバー体16と、この座部カバー体16に側方（対向部側）に向かって突設され、座部５及びコンソールボックス８間の間隙（隙間）10を閉鎖する前後方向長手状の間隙閉鎖体（隙間埋め体）17とを備えている。
【００１９】
また、座部シートカバー11は、座部カバー体16をシート１の座部５に脱着可能に取り付けるための複数本の取付紐（取付手段）18を備えている。なお、図示しないが、取付紐18の先端側には留め具が取り付けられている。
【００２０】
そして、座部カバー体16は、シート１の座部５の前面を覆う前面部21と、シート１の座部５の上面を覆う上面部22と、シート１の座部５の後面を覆う後面部23と、シート１の座部５の側面を覆う左右の側面部24とを有している。そして、座部カバー体16の両側面部24のうちの左側の側面部24には、長手状の間隙閉鎖体17がその全長（略全長を含む）にわたって固定されている。
【００２１】
間隙閉鎖体17は、図２にも示すように、シートベルト用のバックル７を通すための長孔状のバックル用孔部31を後側に有している。つまり、この間隙閉鎖体17の後側には、前後方向長手状のバックル用孔部31が上下面に貫通して形成されている。
【００２２】
そして、間隙閉鎖体17は、そのバックル用孔部31が形成されていない部分（少なくとも前側半部を含む部分）の内側に位置する前後方向長手状の弾性変形可能な弾性部材（弾性体パット）33を有し、この弾性部材33は、可撓性のある前後方向長手状の被覆部材34で覆い隠されている。
【００２３】
すなわち、この間隙閉鎖体17は、例えば発砲ウレタンからなる柔軟な丸棒状の弾性部材33と、この弾性部材33を覆い隠すように座部カバー体16の左側の側面部24に縫い付けにより固定された細長いシート状の被覆部材34とを有している。なお、弾性部材33の素材は、発砲ウレタンには限定されず、例えば発砲ポリエチレン等の他の樹脂材料や、合成ゴム等のゴム材料でもよく、弾性変形可能な弾性材料であれば任意である。
【００２４】
ここで、被覆部材34は、図３に示すように、座部カバー体16と同じ素材（例えば天然皮革、合成皮革、人工皮革等の皮革）からなる上側の第１シート材36と、座部カバー体16とは異なる素材（例えば織物、編み物、不織布、フェルト等の布）からなる下側の第２シート材37とによって構成されている。
【００２５】
これら２枚の両シート材36，37は、縫い糸38で互いに縫い付けられて連結され、かつ、座部カバー体16の左側の側面部24の外面に対して縫い糸39，40でそれぞれ縫い付けられて固定されている。そして、これら両シート材36，37からなる被覆部材34の内面と座部カバー体16の側面部24の外面との間には弾性部材33と略同じ大きさの細長い密閉状の収納空間41が形成され、この収納空間41に弾性部材33が収納されている。
【００２６】
こうして、間隙閉鎖体17は、弾性部材33を内側（内部）に有する略丸棒状の棒状部分42と、この棒状部分42の後端に連設され貫通孔状のバックル用孔部31が形成された略板状の板状部分43とによって構成されている。そして、棒状部分42は、平面視で先端に向かって幅寸法が徐々に減少する幅減少部44を先端側に有し、この幅減少部44には、外側方に向かって凸の湾曲状の湾曲面45が形成されている（図４参照）。
【００２７】
なお、図３に図示した例では、被覆部材34は、材質の異なる２枚のシート材36，37からなるものであるが、例えば両シート材36，37とも座部カバー体16と同じ素材で構成してもよく、また、例えば座部カバー体16と同じ素材からなる１枚のシート材で被覆部材34を構成してもよい。
【００２８】
また、背凭れ部シートカバー（背部シートカバー）12は、図１に示すように、シート１の背凭れ部（ヘッドレストを含む）６を覆う背凭れ部カバー体51と、この背凭れ部カバー体51をシート１の背凭れ部６に脱着可能に取り付けるための複数本の取付紐（取付手段）52とを備えている。
【００２９】
なお、図示しないが、取付紐52の先端側には留め具が取り付けられている。また、背凭れ部カバー体51は、図示したものには限定されず、例えばヘッドレストを覆うヘッドレストカバー部を別体とした構成等でもよい。
【００３０】
次に、上記シートカバー２の作用等を説明する。
【００３１】
図４は、シートカバー２をシート（車両シート）１に取り付けた状態の図であり、この図４から分かるように、座部シートカバー11がシート１の座部５に後付けにより取り付けられると、当該座部５は、座部シートカバー11の座部カバー体16によって覆い隠されるが、このとき、当該座部５とコンソールボックス８との間の間隙10は、座部シートカバー11の間隙閉鎖体17によって埋められて閉鎖される。
【００３２】
すなわち、間隙閉鎖体17は、間隙10に対して上方から押し込まれるように挿入（嵌入）されることにより、弾性部材33が圧縮弾性変形した状態となってその間隙10に装着され、その結果、コンソールボックス８の側面8aに密着（圧着）した間隙閉鎖体17によって間隙10が閉鎖（閉塞）される。
【００３３】
また、この間隙閉鎖体17の間隙10への挿入装着の際に、この間隙閉鎖体17のバックル用孔部31には、シートベルト用のバックル７が下方から挿通され、このバックル７によって間隙閉鎖体17が保持される。
【００３４】
そして、このようなシートカバー２によれば、例えばシート１の前後位置の調整（上下位置も調整可能なシートもある）や自動車の走行時の振動等によって、間隙閉鎖体17が座部カバー体16の側面部24から取れて離れることはないから、間隙10に挿入装着された間隙閉鎖体17がその間隙10から抜け出ることはなく、その装着状態を確実に維持でき、よって、間隙閉鎖体17で間隙10への小物（例えば硬貨、筆記具、携帯電話等）の落下を適切に防止できる。
【００３５】
また、間隙閉鎖体17を有した座部シートカバー11をシート１の座部５に取り付けるだけで、間隙10への小物の落下を防止できるため、従来からある別部品（自動車用装備品）を後から別途購入して装着する必要がなく、極めて便利である。
【００３６】
さらに、間隙閉鎖体17は、車両前後方向に沿った方向に長手方向を有する長手状に形成され、その全長にわたって座部カバー体16の側面部24に固定されているため、間隙閉鎖体17が座部カバー体16の側面部24から分離することがなく、間隙閉鎖体17が間隙10から抜け出るのを確実に防止できる。
【００３７】
また、間隙閉鎖体17は、バックル用孔部31が形成されていない部分の内側に位置する弾性部材33を有し、この弾性部材33は、バックル用孔部31が形成された板状部分43には延在していないため、弾性部材33の長さをその分短くでき、コスト低減を図ることができる。
【００３８】
さらに、間隙閉鎖体17のうち、少なくとも上面側（例えば上側の第１シート材36）は、座部カバー体16と同じ素材で構成されていることから、間隙閉鎖体17が間隙10に装着された状態時には、座部シートカバー11で覆われた座部５の一部分（側方への突出部分）で間隙10が閉鎖されているように見えるため、見て目も良好であり、意匠性に優れている。
【００３９】
なお、上記実施の形態では、間隙閉鎖体17は、被覆部材34が表側に位置するように座部カバー体16の側面部24の外面側に設けられた構成について説明したが、これには限定されず、図５に示すように、例えば布製の１枚のシート材55からなる被覆部材34が裏側に位置するように座部カバー体16の側面部24の内面側に設けられた構成でもよい。
【００４０】
この図５に図示した構成では、シート材55は、座部カバー体16の側面部24の内面に対して縫い糸56，57で縫い付けられて固定されている。そして、そのシート材55からなる被覆部材34の外面と座部カバー体16の側面部24の内面との間には弾性部材33と略同じ大きさの細長い密閉状の収納空間41が形成され、この収納空間41に弾性部材33が収納されている。
【００４１】
また、上記実施の形態では、間隙閉鎖体17は、弾性変形可能な弾性部材33を有する構成について説明したが、これには限定されず、図６に示すように、例えば座部カバー体16の側面部24に縫い付けにより固定された皮革製（例えば座部カバー体16と同じ素材である合成皮革等）の１枚のシート材60のみで突出状の間隙閉鎖体17を構成してもよい。なお、この図示した座部カバー体16の側面部24の後端側には、シートベルト用のバックルを通すための切欠部59が形成されている。
【００４２】
なお、上述したいずれの実施の形態においても、シートカバー２は、互いに分離した座部シートカバー11と背凭れ部シートカバー12とからなる分離型には限定されず、両者が一体化された一体型でもよく、また、座部シートカバー及び背凭れ部シートカバーのいずれか一方のみからなる構成でもよい。
【００４３】
また、間隙閉鎖体は、座部カバー体に設けられた構成には限定されず、例えば間隙閉鎖体が背凭れ部カバー体の下端側に設けられた構成等でもよい。
【００４４】
さらに、間隙閉鎖体は、座部カバー体や背凭れ部カバー体等のカバー体に一体的に固設された構成には限定されず、例えば間隙閉鎖体がファスナー等によってカバー体に脱着可能に設けられた構成等でもよい。
【００４５】
また、間隙閉鎖体は、例えば携帯電話等の小物を収納可能な小物収納部を有するもの等でもよい。
【００４６】
なお、本発明のいくつかの実施の形態およびその変形例について説明したが、本発明の要旨を逸脱しない範囲で、前記各実施の形態および各変形例を適宜組み合わせることも可能である。
【符号の説明】
【００４７】
１    シート
２    シートカバー
５    座部
７    バックル
８    対向部であるコンソールボックス
10    間隙
16    カバー体である座部カバー体
17    間隙閉鎖体
24    側面部
31    バックル用孔部
33    弾性部材
【図１】
2019189008.tif 000003
【図２】
2019189008.tif 000004
【図３】
2019189008.tif 000005
【図４】
2019189008.tif 000006
【図５】
2019189008.tif 000007
【図６】
2019189008.tif 000008